【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
走行車体（２）の後方に取り付けられて圃場に苗を植え付ける植付装置（５２）と、
前記走行車体の走行速度、及び前後進の切り替えを操作する主変速レバー（３６）と、
前記主変速レバー（３６）の動きを案内するクランク形状の開口部であって、前進走行エリア（７６１）と、後進走行エリア（７６２）と、それらのエリアの間に挟まれた中立エリア（７６３）を有する主変速レバー案内部（７６０）と、
前記植付装置（５２）の昇降、及び植付作業の入り切りを操作する植付昇降レバー（３３）と、
前記植付装置（５２）を自動的に上昇させるオートリフト機構と、
少なくとも、前記前進走行エリア寄りの前記中立エリアの第１の部位（７６３ａ）と前記後進走行エリア寄りの前記中立エリアの第３の部位（７６３ｃ）との間の第２の部位（７６３ｂ）に、前記主変速レバー（３６）が存在することを検知する後進検知スイッチ（７２０）と、
前記後進検知スイッチ（７２０）により前記主変速レバー（３６）が前記第２の部位（７６３ｂ）に存在することが検知されると、前記主変速レバーが前記後進走行エリア寄りの前記第３の部位（７６３ｃ）に移動していなくても、前記オートリフト機構を作動させるオートリフト制御機構とを備え、
前記主変速レバー（３６）は支軸（Ｘ、Ｙ）を中心に回動し、前記主変速レバー（３６）に作用部（７３０）が固定され、前記作用部（７３０）にＬ字形状に屈曲した接触プレート（７３１）が固定されており、
前記後進検知スイッチ（７２０）は、先端に接触ローラ（７２３）を有するスイッチ押しプレート（７２４）と、スイッチ本体（７２２）とを有し、
前記主変速レバー（３６）が前記第１の部位（７６３ａ）にあるときは、前記接触ローラ（７２３）は前記接触プレート（７３１）と接触せず、前記スイッチ本体（７２２）はオフ状態であり、
前記主変速レバー（３６）が前記第２の部位（７６３ｂ）にあるときは、前記接触ローラ（７２３）は前記接触プレート（７３１）の前記Ｌ字形状の一辺（７３１ｂ）と接触して、前記スイッチ押しプレート（７２４）が前記スイッチ本体（７２２）をオン状態とし、
前記主変速レバー（３６）が、前記第２の部位（７６３ｂ）から前記第３の部位（７６３ｃ）へ移動するときは、前記接触ローラ（７２３）は、前記Ｌ字形状の屈曲部（７３１ａ）を乗り越えて、前記接触プレート（７３１）の前記Ｌ字形状の他辺（７３１ｃ）に接触して、前記スイッチ押しプレート（７２４）が前記スイッチ本体（７２２）のオン状態を維持する構成とし、
前記走行車体の前側に設けられ、前記走行車体を操舵するハンドル（３４）と、
前記ハンドルの回転軸部を収納するハンドルポスト（６１０）と、
前記走行車体の走行モードを切り替える副変速レバー（６８０）と、
前記主変速レバー（３６）の動きを静油圧式無段階変速機（２３）に伝達する主変速レバーアーム（６４０）と、
前記ハンドルポストに固定された板状の部材であって、後端部側に前記主変速レバーアーム（６４０）が揺動可能に連結された取り付けフランジ（６３０）と、
前記取り付けフランジ（６３０）の前記後端部の下面側に少なくともその一端部が取り付けられた、Ｌ字形状の支持部材（６６０）と、
前記支持部材（６６０）に下端部が固定され、前記ハンドルポスト（６１０）に沿って上方に伸び、上端部が後方向に曲げられている、前記副変速レバー（６８０）の操作を案内する副変速レバーガイド（６７０）と、
前記副変速レバーガイド（６７０）の前記上端部に取り付けられた、前記副変速レバーの操作位置を示す表示部材（６７２）と、を備えた苗移植機。
【手続補正２】
【補正対象書類名】明細書
【補正対象項目名】００１１
【補正方法】変更
【補正の内容】
【００１１】
本発明は、植付装置が土壌や植付苗を押しつぶすことを確実に防止すると共に、後進検知スイッチの破損を防止することを目的とする。また、副変速レバーガイドの支持剛性を強化して、耐久性を向上させることを目的とする。
【手続補正３】
【補正対象書類名】明細書
【補正対象項目名】００１２
【補正方法】変更
【補正の内容】
【００１２】
上記課題を解決するために、請求項１記載の本発明は、
走行車体（２）の後方に取り付けられて圃場に苗を植え付ける植付装置（５２）と、
前記走行車体の走行速度、及び前後進の切り替えを操作する主変速レバー（３６）と、
前記主変速レバー（３６）の動きを案内するクランク形状の開口部であって、前進走行エリア（７６１）と、後進走行エリア（７６２）と、それらのエリアの間に挟まれた中立エリア（７６３）を有する主変速レバー案内部（７６０）と、
前記植付装置（５２）の昇降、及び植付作業の入り切りを操作する植付昇降レバー（３３）と、
前記植付装置（５２）を自動的に上昇させるオートリフト機構と、
少なくとも、前記前進走行エリア寄りの前記中立エリアの第１の部位（７６３ａ）と前記後進走行エリア寄りの前記中立エリアの第３の部位（７６３ｃ）との間の第２の部位（７６３ｂ）に、前記主変速レバー（３６）が存在することを検知する後進検知スイッチ（７２０）と、
前記後進検知スイッチ（７２０）により前記主変速レバー（３６）が前記第２の部位（７６３ｂ）に存在することが検知されると、前記主変速レバーが前記後進走行エリア寄りの前記第３の部位（７６３ｃ）に移動していなくても、前記オートリフト機構を作動させるオートリフト制御機構とを備え、
前記主変速レバー（３６）は支軸（Ｘ、Ｙ）を中心に回動し、前記主変速レバー（３６）に作用部（７３０）が固定され、前記作用部（７３０）にＬ字形状に屈曲した接触プレート（７３１）が固定されており、
前記後進検知スイッチ（７２０）は、先端に接触ローラ（７２３）を有するスイッチ押しプレート（７２４）と、スイッチ本体（７２２）とを有し、
前記主変速レバー（３６）が前記第１の部位（７６３ａ）にあるときは、前記接触ローラ（７２３）は前記接触プレート（７３１）と接触せず、前記スイッチ本体（７２２）はオフ状態であり、
前記主変速レバー（３６）が前記第２の部位（７６３ｂ）にあるときは、前記接触ローラ（７２３）は前記接触プレート（７３１）の前記Ｌ字形状の一辺（７３１ｂ）と接触して、前記スイッチ押しプレート（７２４）が前記スイッチ本体（７２２）をオン状態とし、
前記主変速レバー（３６）が、前記第２の部位（７６３ｂ）から前記第３の部位（７６３ｃ）へ移動するときは、前記接触ローラ（７２３）は、前記Ｌ字形状の屈曲部（７３１ａ）を乗り越えて、前記接触プレート（７３１）の前記Ｌ字形状の他辺（７３１ｃ）に接触して、前記スイッチ押しプレート（７２４）が前記スイッチ本体（７２２）のオン状態を維持する構成とし、
前記走行車体の前側に設けられ、前記走行車体を操舵するハンドル（３４）と、
前記ハンドルの回転軸部を収納するハンドルポスト（６１０）と、
前記走行車体の走行モードを切り替える副変速レバー（６８０）と、
前記主変速レバー（３６）の動きを静油圧式無段階変速機（２３）に伝達する主変速レバーアーム（６４０）と、
前記ハンドルポストに固定された板状の部材であって、後端部側に前記主変速レバーアーム（６４０）が揺動可能に連結された取り付けフランジ（６３０）と、
前記取り付けフランジ（６３０）の前記後端部の下面側に少なくともその一端部が取り付けられた、Ｌ字形状の支持部材（６６０）と、
前記支持部材（６６０）に下端部が固定され、前記ハンドルポスト（６１０）に沿って上方に伸び、上端部が後方向に曲げられている、前記副変速レバー（６８０）の操作を案内する副変速レバーガイド（６７０）と、
前記副変速レバーガイド（６７０）の前記上端部に取り付けられた、前記副変速レバーの操作位置を示す表示部材（６７２）と、を備えた苗移植機である。
また、本発明に関連する第１の発明は、
走行車体（２）の後方に取り付けられて圃場に苗を植え付ける植付装置（５２）と、
前記走行車体の後部に配置された、前記苗に肥料を供給する施肥装置（５）と、
前記植付装置の昇降、及び植付作業の入り切りを操作する植付昇降レバー（３３）と、
前記植付昇降レバーの操作に基づいて、前記植付装置への動力の伝達を入り切りする植付クラッチ（１００）と、
前記植付昇降レバーの操作に基づいて、前記施肥装置への動力の伝達を入り切りする施肥クラッチ（５００）と、を備えた苗移植機（１）において、
前記植付昇降レバー（３３）に連結されて、回動可能に配置された切替カム（７４）と、
前記切替カムの動きに対応して回動可能に配置された切替アーム（６０）を少なくとも有し、前記植付クラッチ及び前記施肥クラッチの入り切りを同時に制御する中間機構（６００）と、
前記切替アーム（６０）の後端部側に連結された、前記植付クラッチ（１００）の入り切りを行う植付クラッチ切替機構（２６０）と、
前記切替アーム（６０）の前端部側に連結された、前記施肥クラッチ（５００）の入り切りを行う施肥クラッチ切替機構（１６０、５０２、５１０）とを備えた、苗移植機である。
【手続補正４】
【補正対象書類名】明細書
【補正対象項目名】００１３
【補正方法】変更
【補正の内容】
【００１３】
また、本発明に関連する第２の発明は、
前記切替カム（７４）は、上端部に前記植付昇降レバーの終端部（３３ａ）が取り付けられた板状部材であり、
前記中間機構（６００）は、
前記切替カムの下方に配置された前記切替アーム（６０）と、
前記切替アームに回動可能に連結され、前記切替カム（７４）の下端側の端縁部と接触する切替ローラ（６２）と、
一端が前記切替アーム（６０）に連結され、前記切替ローラ（６２）を前記切替カムの前記端縁部に付勢させる付勢バネ部材（６３）とを有し、
前記植付クラッチ切替機構（２６０）は、前記切替アーム（６０）の前記後端部側の上下動に応じて、前記植付クラッチ（１００）を入り切りする植付クラッチ切断ピン（２６０）を有し、
前記施肥クラッチ切替機構（１６０）は、前記切替アーム（６０）の前記前端部側に一端（１６０ａ）が連結され、前記施肥クラッチ側に他端（１６０ｂ）が連結された施肥クラッチケーブル（１６０）を有し、前記切替アームの前記前端部の上下動に応じて、前記施肥クラッチケーブルを介して前記施肥クラッチ（５００）を入り切りする、本発明に関連する第１の発明の苗移植機である。
【手続補正５】
【補正対象書類名】明細書
【補正対象項目名】００１４
【補正方法】変更
【補正の内容】
【００１４】
また、本発明に関連する第３の発明は、
前記施肥クラッチ切替機構（１６０）は、前記施肥クラッチケーブル（１６０）の前記他端に直接又は間接に連結された施肥切替バネ部材（５０２）を有しており、
前記付勢バネ部材（６３）の張力は、前記施肥切替バネ部材（５０２）の張力よりも強い、本発明に関連する第２の発明の苗移植機である。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
本発明に関連する第１の発明によれば、
植付クラッチの入り切りに連動して施肥クラッチが入り切りされることにより、植付作業を停止する際に施肥クラッチを切るタイミングが遅れたり、植付作業を開始する際に施肥クラッチを入れるタイミングが遅れたりして、施肥量が多くなることを防止でき、適切なタイミングで施肥クラッチの入り切りが行えるので、肥料の無駄使いが減少すると共に、過剰な施肥による品質の低下が防止出来る。
【手続補正１０】
【補正対象書類名】明細書
【補正対象項目名】００２０
【補正方法】変更
【補正の内容】
【００２０】
また、本発明に関連する第２の発明によれば、
例えば、植付昇降レバーを「植え付け」位置に操作すると、切替アームの後端部側が下方に回動し、植付クラッチ切断ピンが植付クラッチを「切り」状態とすることにより、植付作業中に植付クラッチが切れて、欠株が生じることを防止できるので、苗の無い部分に手作業で苗を植え付ける必要がなく、作業効率が向上する。
【手続補正１１】
【補正対象書類名】明細書
【補正対象項目名】００２４
【補正方法】変更
【補正の内容】
【００２４】
また、本発明に関連する第３の発明によれば、
付勢バネ部材の張力を施肥切替バネ部材の張力よりも強く設定したことにより、植付クラッチの入り切りに施肥クラッチの入り切りを連動させることが出来るので、苗を植え付けないときに肥料が供給されることが防止され、肥料の無駄な消費が抑えられる。
【手続補正１２】
【補正対象書類名】明細書
【補正対象項目名】００２６
【補正方法】変更
【補正の内容】
【００２６】
また、請求項１に記載の本発明によれば、
取り付けフランジと副変速レバーガイドを、Ｌ字形状に屈曲させた支持部材で連結したことにより、副変速レバーガイドの支持剛性を強化することが出来るので、耐久性が向上する。
【手続補正１３】
【補正対象書類名】明細書
【補正対象項目名】００２７
【補正方法】変更
【補正の内容】
【００２７】
また、副変速レバーガイドに操作位置を示す表示部材を設けたことにより、作業者は副変速レバーの操作位置を間違えることが無くなり、適切な走行モード、例えば、路上走行モード、又は、中立停止モード、又は、植付作業走行モードなどに確実に切り替えることが出来る。
【手続補正１４】
【補正対象書類名】明細書
【補正対象項目名】００２８
【補正方法】変更
【補正の内容】
【００２８】
また、主変速レバーが中立エリアの第１の部位（前進停止位置、若しくは前進アイドリング位置とも呼ぶ）から中立エリアの第２の部位に移動し第２の部位に存在することを、後進検知スイッチが検知することにより、主変速レバーが中立エリアの第３の部位（後進停止位置、若しくは後進アイドリング位置とも呼ぶ）に移動していなくても、つまり、主変速レバーが第１の部位から第３の部位に移動するまでの途中の位置である第２の部位に存在する時点において、より確実に植付装置を上昇させることが出来るので、植付装置が土壌や植付苗を押しつぶすことがより確実に防止され、苗を植え直す作業が不要となり作業者の労力が軽減されると共に、苗の浪費を防止出来る。
【手続補正１５】
【補正対象書類名】明細書
【補正対象項目名】００２９
【補正方法】変更
【補正の内容】
【００２９】
また、主変速レバーが第２の部位から第３の部位に移動するときに、後進検知スイッチの接触ローラが接触プレートの屈曲部を乗り越えて、Ｌ字形状の他辺に接触するので、スイッチ押しプレートが過度に押し当てられることが防止され、後進検知スイッチの破損が防止される。